(57)【特許請求の範囲】
【請求項１】
複数の実行可能命令を格納するメモリと、
前記メモリに結合されるプロセッサと
を備え、
前記プロセッサは、
キーアクセスセキュリティ管理エンティティ（ＫＡＳＭＥ）を取得し、
進化型パケットシステム（ＥＰＳ）における回線交換フォールバック（ＣＳＦＢ）手順を発信するべく拡張サービス要求メッセージを通信し、
前記ＫＡＳＭＥから複数の回線交換（ＣＳ）キーパラメータを生成し、
前記ＫＡＳＭＥから生成される前記複数のＣＳキーパラメータに基づいて前記ＣＳＦＢ手順を促進し、
前記ＣＳＦＢ手順を発信するべく、前記拡張サービス要求メッセージの通信と同時に、又は、前記拡張サービス要求メッセージの通信の後に、単一無線音声通信継続（ＳＲＶＣＣ）スキームがアクティブになることに応答して、前記複数のＣＳキーパラメータを複数のＳＲＶＣＣキーパラメータと置き換える
前記複数の実行可能命令を実行するように構成される、ユーザ機器（ＵＥ）。
【請求項２】
前記プロセッサは、
前記複数のＣＳキーパラメータのうち少なくとも１つのＣＳキーパラメータに基づいて移動通信用グローバルシステム回線交換暗号解読キー（ＧＳＭ（登録商標）  ＣＳ  Ｋｃ）を生成する前記複数の実行可能命令を実行するように更に構成される、請求項１に記載のＵＥ。
【請求項３】
前記プロセッサは、
前記複数のＣＳキーパラメータに関連付けられるキーセット識別子（ＫＳＩ）値をＧＳＭ（登録商標）  ＣＳ暗号解読キーのシーケンス番号（ＧＳＭ（登録商標）  ＣＳ  ＣＫＳＮ）に割り当てる前記複数の実行可能命令を実行するように更に構成される、請求項１又は２に記載のＵＥ。
【請求項４】
前記プロセッサは、
前記複数のＣＳキーパラメータに基づいて変換関数から導出されるＧＳＭ（登録商標）  ＣＳ  Ｋｃでユニバーサル加入者識別モジュール（ＵＳＩＭ）を更新する前記複数の実行可能命令を実行するように更に構成される、請求項１から３のいずれか一項に記載のＵＥ。
【請求項５】
前記複数のＣＳキーパラメータは、前記ＣＳＦＢ手順用のＫＳＩと共に暗号解読キー及び整合性キーを有する、請求項１から４のいずれか一項に記載のＵＥ。
【請求項６】
前記プロセッサは、追加の認証動作から独立して前記ＣＳＦＢ手順の発信の後に前記複数のＣＳキーパラメータを導出する前記複数の実行可能命令を実行するように更に構成される、請求項１から５のいずれか一項に記載のＵＥ。
【請求項７】
回線交換フォールバック（ＣＳＦＢ）のためのシステムであって、
複数の実行可能命令を格納するメモリを有するプロセッシングデバイスを備え、
前記プロセッシングデバイスは、少なくとも、
承認又は認証処理を可能とするセキュリティキーを判断し、
モバイル発信通話又はモバイル着信通話に応答して、第１のネットワークデバイスの第１のネットワークから第２のネットワークデバイスの第２のネットワークにＣＳＦＢ手順を発信するべく拡張サービス要求メッセージを受信し、
前記セキュリティキーから複数の回線交換（ＣＳ）キーパラメータを生成し、
前記セキュリティキーからの前記複数のＣＳキーパラメータに基づいて前記ＣＳＦＢ手順を促進し、
前記ＣＳＦＢ手順を発信するべく、前記拡張サービス要求メッセージの受信と同時に、又は、前記拡張サービス要求メッセージの受信の後に、単一無線音声通信継続（ＳＲＶＣＣ）スキームがアクティブになることに応答して、前記複数のＣＳキーパラメータを複数のＳＲＶＣＣキーパラメータと置き換える
前記複数の実行可能命令を実行するように構成される、システム。
【請求項８】
前記プロセッシングデバイスは、
前記複数のＣＳキーパラメータに基づいて、変換関数を用いて移動通信用グローバルシステム回線交換暗号解読キー（ＧＳＭ（登録商標）  ＣＳ  Ｋｃ）を生成する前記複数の実行可能命令を実行するように更に構成される、請求項７に記載のシステム。
【請求項９】
前記プロセッシングデバイスは、
前記セキュリティキーからの前記複数のＣＳキーパラメータに基づいて前記ＣＳＦＢ手順を促進すべく、前記複数のＣＳキーパラメータを移動通信交換局（ＭＳＣ）サーバコンポーネントに通信する前記複数の実行可能命令を実行するように更に構成される、請求項７又は８に記載のシステム。
【請求項１０】
前記第１のネットワークデバイスは、進化型ユニバーサル移動通信システム地上波無線アクセスネットワーク（Ｅ−ＵＴＲＡＮ）として前記第１のネットワークを生成するように構成されるＥ−ＵＴＲＡＮデバイスを有し、
前記第２のネットワークデバイスは、汎用パケット無線サブシステム進化型無線アクセスネットワーク（ＧＥＲＡＮ）又はＵＴＲＡＮとして、それぞれ前記第２のネットワークを生成するように構成されるＧＥＲＡＮデバイス又はＵＴＲＡＮデバイスを有する、請求項７から９のいずれか一項に記載のシステム。
【請求項１１】
ユーザ機器（ＵＥ）デバイスに通信可能に結合されるＭＳＣサーバコンポーネント
を更に備え、
前記ＭＳＣサーバコンポーネント及び前記ＵＥデバイスは、
前記複数のＣＳキーパラメータのうち少なくとも１つのＣＳキーパラメータに基づいてＧＳＭ（登録商標）  ＣＳ  Ｋｃを生成し、
前記複数のＣＳキーパラメータに基づいてキーセット識別子（ＫＳＩ）値を判断し、
前記ＧＳＭ（登録商標）  ＣＳ  Ｋｃに関連付けられるＧＳＭ（登録商標）  ＣＳ暗号解読キーのシーケンス番号（ＧＳＭ（登録商標）  ＣＳ  ＣＫＳＮ）に対して前記複数のＣＳキーパラメータに関連付けられる前記ＫＳＩ値を割り当てる
ように構成される、請求項７から１０のいずれか一項に記載のシステム。
【請求項１２】
前記第１のネットワークデバイスは、Ｅ−ＵＴＲＡＮデバイスを有し、
前記第２のネットワークデバイスは、ＧＥＲＡＮデバイスを有する、請求項１１に記載のシステム。
【請求項１３】
前記ＭＳＣサーバコンポーネント及び前記ＵＥデバイスは、前記複数のＣＳキーパラメータに基づいて１２８ビットのＧＳＭ（登録商標）  暗号解読キー（Ｋｃ１２８）を判断するように更に構成される、請求項１１又は１２に記載のシステム。
【請求項１４】
前記ＭＳＣサーバコンポーネント及び前記ＵＥデバイスは、前記Ｋｃ１２８に基づいて、前記ＧＳＭ（登録商標）  ＣＳ  ＣＫＳＮに対して前記複数のＣＳキーパラメータに関連付けられる前記ＫＳＩ値を割り当てるように更に構成される、請求項１３に記載のシステム。
【請求項１５】
前記複数のＣＳキーパラメータに基づいて１２８ビットのＧＳＭ（登録商標）  暗号解読キー（Ｋｃ１２８）を判断し、前記第２のネットワークデバイスによる暗号化処理の選択に応答して前記第２のネットワークデバイスに前記Ｋｃ１２８を通信するように構成されるＭＳＣサーバコンポーネント
を更に備える、請求項７から１４のいずれか一項に記載のシステム。
【請求項１６】
前記プロセッシングデバイスは、
前記複数のＣＳキーパラメータに基づくＧＳＭ（登録商標）  ＣＳ  Ｋｃを用いてユニバーサル加入者識別モジュール（ＵＳＩＭ）を更新する前記複数の実行可能命令を実行するように更に構成される、請求項７から１５のいずれか一項に記載のシステム。
【請求項１７】
プロセッサに、
キーアクセスセキュリティ管理エンティティ（ＫＡＳＭＥ）から複数の回線交換（ＣＳ）キーパラメータを導出する手順と、
回線交換フォールバック（ＣＳＦＢ）手順及び前記複数のＣＳキーパラメータを発信するべく拡張サービス要求メッセージを通信又は受信する手順と、
前記ＫＡＳＭＥから導出される前記複数のＣＳキーパラメータに基づいて前記ＣＳＦＢ手順を促進する手順と、
前記ＣＳＦＢ手順を発信するべく、前記拡張サービス要求メッセージの受信と同時に、若しくは、前記拡張サービス要求メッセージの受信の後に、又は、前記拡張サービス要求メッセージの通信と同時に、若しくは、前記拡張サービス要求メッセージの通信の後に、単一無線音声通信継続（ＳＲＶＣＣ）スキームがアクティブになることに応答して、前記複数のＣＳキーパラメータを複数のＳＲＶＣＣキーパラメータと置き換える手順と
を実行させるためのプログラム。
【請求項１８】
前記プロセッサに、
前記複数のＣＳキーパラメータのうち少なくとも１つのＣＳキーパラメータに基づいて移動通信用グローバルシステム回線交換暗号解読キー（ＧＳＭ（登録商標）  ＣＳ  Ｋｃ）を生成する手順と、
前記複数のＣＳキーパラメータに基づいてキーセット識別子（ＫＳＩ）値を判断する手順と、
前記ＧＳＭ（登録商標）  ＣＳ  Ｋｃに対応するするＧＳＭ（登録商標）  ＣＳ暗号解読キーのシーケンス番号（ＧＳＭ（登録商標）  ＣＳ  ＣＫＳＮ）に対して前記複数のＣＳキーパラメータに関連付けられる前記ＫＳＩ値を割り当てる手順と
を更に実行させるための、請求項１７に記載のプログラム。
【請求項１９】
請求項１７又は１８に記載のプログラムを格納するコンピュータ可読記憶媒体。
【発明の詳細な説明】
【技術分野】
【０００１】
関連出願の参照
本願は、「ＣＳＦＢの間の認証手順を省略して呼設定時間を短縮するための解決策」と題された２０１４年４月２８日に出願の米国仮出願第６１／９８５，３８６号の利益を主張し、当該出願の内容がこれらの全体における参照により本明細書に組み込まれる。
【０００２】
本開示は、回線交換フォールバック（ＣＳＦＢ）に関し、より具体的には、回線交換フォールバック動作の間の認証手順を省略することにより呼設定時間を短縮することに関する。
【背景技術】
【０００３】
第３世代パートナーシッププロジェクト（３ＧＰＰ）に従うような従来の公衆陸上移動ネットワーク（ＰＬＭＮ）において、汎用パケット無線サブシステム進化型無線アクセスネットワーク（ＧＥＲＡＮ）、ユニバーサル移動通信システム地上波無線アクセスネットワーク（ＵＴＲＡＮ）及び進化型ＵＴＲＡＮ（Ｅ−ＵＴＲＡＮ）のような様々な無線アクセスネットワーク（ＲＡＮ）では、共通のコアネットワークに接続され、様々なサービスを提供し得る。例えば、ＧＥＲＡＮ又はＵＴＲＡＮは、単独又は部分的において、音声サービスを提供し得、一方、Ｅ−ＵＴＲＡＮは、対照的に、パケットサービスを単独又は部分的のいずれかで提供し得る。呼設定時間に対する長い期間を含む難しさが、ロングタームエボリューション（ＬＴＥ）ネットワークから回線交換ドメインネットワークへのフォールバックを可能にする回線交換フォールバック（ＣＳＦＢ）処理内に存在する。
【図面の簡単な説明】
【０００４】
【図１】開示される様々な態様に係るモバイルネットワークを示すブロック図である。
【図２】開示される様々な態様に係る回線交換フォールバックに関するモバイルネットワークアーキテクチャのブロック図を示すブロック図である。
【図３】開示される様々な態様に係る回線交換フォールバック手順を示すデータフローである。
【図４】開示される様々な態様に係る回線交換フォールバック手順を示す別のデータフローである。
【図５】開示される様々な態様に係る回線交換フォールバック手順のための方法を示すフロー図である。
【図６】開示される複数の態様に従って動作できる無線環境の概略的な例である。
【図７】開示される様々な態様を実装する例示的な無線ネットワークプラットフォームの図である。
【発明を実施するための形態】
【０００５】
ここで、本開示は添付の図面を参照して説明され、同様の参照番号は全体を通じて同様の要素を参照するのに用いられ、示される構造及びデバイスは必ずしも縮尺に合わせて描かれるわけではない。本明細書で用いられるような、「コンポーネント」、「システム」、「インタフェース」等の用語は、コンピュータ関連エンティティ、ハードウェア、（例えば、実行中の）ソフトウェア及び／又はファームウェアを指すことが意図される。例えば、コンポーネントは、プロセッサ、プロセッサ上で動作する処理、コントローラ、回路又は回路素子、オブジェクト、実行ファイル、プログラム、ストレージデバイス、コンピュータ、タブレットＰＣ及び／又はプロセッシングデバイスを有する携帯電話であってよい。例示として、サーバ上で動作するアプリケーション及びサーバは、コンポーネントであってもよい。１又は複数のコンポーネントは、処理内に存在してよく、コンポーネントは、１つのコンピュータ上に局在され、及び／又は、２つ又はそれより多いコンピュータ間で分散されてよい。要素のセット又は他のコンポーネントのセットが本明細書に説明されてよく、「セット」という用語は、要素のセット又は他のコンポーネントのセット内の「１又は複数」として解釈されてよい。
【０００６】
更に、これらのコンポーネントは、例えば、モジュールと同様に、そこに格納される様々なデータ構造を有する様々なコンピュータ可読記憶媒体から実行できる。コンポーネントは、１又は複数のデータパケット（例えば、ローカルシステム、分散システム内で、及び／又は、インターネット、ローカルエリアネットワーク、ワイドエリアネットワーク又は信号を利用する他のシステムを有する類似のネットワークのようなネットワーク経由で、別のコンポーネントとインタラクトする１つのコンポーネントからのデータ）を有する信号に従うといったように、ローカル処理及び／又はリモート処理を介して通信できる。
【０００７】
別の例として、コンポーネントは、電気的な又は電子的な回路によって動作される機械的部品により提供される固有の機能性を有する装置であってよく、当該装置における電気的な又は電子的な回路は、１又は複数のプロセッサにより実行されるソフトウェアアプリケーション又はファームウェアアプリケーションにより動作されてよい。１又は複数のプロセッサは、装置の内部又は外部にあってよく、少なくともソフトウェア又はファームウェアアプリケーションの一部を実行してよい。更に別の例において、コンポーネントは、機械的部品なしで電子コンポーネント又は要素を介して固有の機能を提供する装置であってよく、電子コンポーネントは、電子コンポーネントの機能を少なくとも部分的に与えるソフトウェア及び／又はファームウェアを実行するべく、その中に１又は複数のプロセッサを含んでよい。
【０００８】
例となる単語の使用は、具体的な態様において複数の概念を提示することが意図される。本願で使われるように、「又は」という用語は、排他的な「又は」よりはむしろ、包括的な「又は」を意味することが意図される。すなわち、特別の定めのない限り、又は、文脈から明らかな場合、「Ｘは、Ａ又はＢを採用する」という表現は、複数の自然な包括的配列のいずれかを意味することが意図される。すなわち、ＸがＡを採用する場合、ＸがＢを採用する場合、又は、ＸがＡ及びＢの両方を採用する場合、「Ｘは、Ａ又はＢを採用する」という表現は、上述の例のいずれかの下で満たされる。更に、本願及び添付の特許請求の範囲において用いられる冠詞「ａ」及び「ａｎ」は概して、別途指定され、又は、単数形を対象とすることが文脈から明らかでない限り、「１又は複数」を意味するものと解釈されるべきである。更に、「含む（ｉｎｃｌｕｄｉｎｇ）」、「含む（ｉｎｃｌｕｄｅｓ）」、「有する（ｈａｖｉｎｇ）」、「有する（ｈａｓ）」、「有する（ｗｉｔｈ）」という用語又はそれらの変形が発明を実施するための形態及び特許請求の範囲のいずれかで用いられる範囲に対して、そのような用語は、「備える（ｃｏｍｐｒｉｓｉｎｇ）」という用語に類似する態様に含まれることが意図される。
【０００９】
上述したネットワークシステムに対するＣＳＦＢ電力制御の欠点を考慮して、呼設定時間を短縮するためにＣＳＦＢの間の認証手順を省略することについて様々な態様が説明される。ＣＳＦＢの間のネットワークデバイス又はユーザ機器（ＵＥ）デバイスに対する認証手順を省略することにより、呼設定時間を約１．５秒又はそれ未満に短絡することができ、モバイル発信（ＭＯ）及びモバイル着信（ＭＴ）ＣＳＦＢを有するエンドツーエンドコールを考慮すると、ＣＳ呼設定時間全体を約３秒又はそれ未満に短縮できる。例えば、モビリティマネジメントエンティティ（ＭＭＥ）コンポーネントと移動通信交換局（ＭＳＣ）コンポーネントとの間で動作可能な手順に約２つの追加ステップを加えることにより、認証手順の時間を取り除くことができる。例えば、ネットワークシステムのＥ−ＵＴＲＡＮコンポーネントの動作に影響を与えることなく、これを実行できる。
【００１０】
一例において、ＵＥは、複数の実行可能命令を格納するメモリと、メモリに結合され、複数の実行可能命令を実行するように構成されるプロセッサとを備える。プロセッサは、キーアクセスセキュリティ管理エンティティ（ＫＡＳＭＥ）を取得又は受信する複数の実行可能命令を実行し、キーアクセスセキュリティ管理エンティティ（ＫＡＳＭＥ）は、ユーザとネットワークシステムのネットワークデバイスとの間の認証処理に関わるアクセス層（ＡＳ）暗号手順及び非アクセス層（ＮＡＳ）暗号手順の生成の基礎を形成する。ＵＥは、進化型パケットシステム（ＥＰＳ）におけるＣＳＦＢ手順を発信するべく、拡張サービス要求メッセージを通信する。通信に応答して又はその後、ＵＥは、ＫＡＳＭＥから１又は複数のＣＳキーパラメータを導出し、又は、生成する。ＣＳＦＢ手順は、更に、ＫＡＳＭＥから導出された複数のＣＳキーパラメータに基づいて促進される。
【００１１】
ＣＳＦＢ動作によれば、例えば、ＵＥが２Ｇネットワーク又は３Ｇネットワークにチューニングすることに応答して、認証手順は、暗号解読キー（ＣＫ）、ＵＭＴＳ用の整合性キー（ＩＫ）、移動通信用グローバルシステム（ＧＳＭ（登録商標））用の暗号解読キー（Ｋｃ）及び関連するキーセット識別子（ＫＳＩ）のような複数のＣＳキーパラメータを生成するために動作し、そのような認証手順は、より長いＣＳＦＢ呼設定時間をもたらし得る。しかしながら、加入者がＥＰＳにおいて少なくとも一度認証されている場合に、認証手順は、回避され得る。ＵＥ及びＭＭＥサーバコンポーネントは、ＫＡＳＭＥを格納でき、ＫＡＳＭＥは、更に、ＵＥ及びＭＳＣサーバコンポーネントのそれぞれに格納される複数のＣＳキーパラメータを導出することに用いられ得る。一態様において、ウルトラフラッシュなＣＳＦＢ解決策は、以下のステップを省略させることができる。
【００１２】
（１）単一無線音声通信継続（ＳＲＶＣＣ）処理用の複数のＣＳキーパラメータを再利用することにより認証を省略する。
【００１３】
（２）ＣＳＦＢが音声通話をトリガされることを仮定することによるＣＳベアラ割り当てを省略する。
【００１４】
（３）又は、対象の基地局コントローラ（ＢＳＣ）／ノードＢ識別子（ＩＤ）を用いて、正確なＭＳＣ／位置エリア識別子（ＬＡＩ）を選択することにより位置エリアの更新（ＬＡＵ）を省略する。
【００１５】
（２）に関して、ＣＳＦＢは、位置サービス（ＬＣＳ）、非構造化付加サービスデータ（ＵＳＳＤ）及びビデオのような他のＣＳサービスに対してトリガされるおそれがあり、ＣＳＦＢが音声通話に対して常にトリガされると仮定するのは不適切であり、場合によっては、間違ったＣＳベアラ割り当てをもたらす。（３）に関して、ＭＳＣ／ＬＡＩが変更されたときだけ、ＬＡＵは、ＣＳＦＢの後に用いられる。したがって、ＭＳＣ／ＬＡＩが変更されないいくつかの場合について、ＣＳＦＢがネットワーク配置にもアップされた後にＬＡＵが用いられるか否かに関わらず、ＬＡＵからの十分な利益はない。よって、もし、認証を省略する目的のためだけであれば、ＣＳＦＢ処理は、ＳＲＶＣＣ手順全体をトリガし、ｅＮＢ（ｅＮＢが、ＵＥに対して非ＱｏＳクラス識別子（ＱＣＩ）＝１ベアラの状況下でＳＲＶＣＣを開始するか否かを判断する）に影響を与える必要はない。つまり、上記の（２）及び（３）に関する解決策には、問題がある。本開示の追加的な態様及び詳細は、以下で図を参照して更に説明される。
【００１６】
図１を参照すると、説明される様々な態様に係るモバイルネットワーク通信システムの例が示される。様々な例において、モバイルネットワーク１００は、限定はされないが、ＧＥＲＡＮ、ＵＴＲＡＮ及び／又はＥ−ＵＴＲＡＮをサポートする進化型パケットコア（ＥＰＣ）ネットワークである。ＵＥ１０２（移動局（ＭＳ））は、無線インタフェース１０４（例えばＬＴＥ−Ｕｕ）を介してＥ−ＵＴＲＡＮ１０６システムに通信可能に結合される。Ｅ−ＵＴＲＡＮ１０６は、Ｓ１−ＭＭＥ（モビリティマネジメントエンティティ）リンク１０８を介してＭＭＥ１１０に通信可能に結合され、Ｓ１−Ｕリンク１１２を介してサービングゲートウェイ１１４に通信可能に結合される。ＭＭＥ１１０は、Ｓ１１リンク１１５を介してサービングゲートウェイ１１４に直接接続されてよく、Ｓ３リンク１１６を介してサービング汎用パケット無線サブシステムサポートノード（ＳＧＳＮ）１１８に接続されてよく、ＳＧＳＮ自体は、Ｓ４リンク１２０を介してサービングゲートウェイ１１４に接続される。ＭＭＥ１１０は、内部のＳ１０リンク１２２及び高速シリアル（ＨＳＳ）インタフェースノード１２６へのＳｈａリンク１２４を含み得る。
【００１７】
サービングゲートウェイ１１４は、Ｓ１２リンク１２８を介して１又は複数のＵＴＲＡＮ１３０及びＧＥＲＡＮ１３２ネットワークに接続されてよい。サービングゲートウェイ１１４は、更に、Ｓ５リンク１３４を介して公衆データネットワーク（ＰＤＮ）ゲートウェイ１３６に接続されてよい。ＰＤＮゲートウェイ１３６は、リンク１３８を介してポリシ及び課金ルール機能（ＰＣＲＦ）ノード１４０に接続されてよく、ＳＧｉリンク１４２を介して、ＩＰマルチメディアサブシステム（ＩＭＳ）のような、オペレータのＩＰサービス１４４に接続されてよい。ＰＣＲＦノード１４０は、リンク１４６を介してオペレータのＩＰサービス１４４に接続されてよい。
【００１８】
図２は、例示的な実施形態における回線交換フォールバック（ＣＳＦＢ）のためのモバイルネットワークアーキテクチャ２００のブロック図である。アーキテクチャ２００は、例えば、モバイルネットワーク１００又は任意の適切なモバイルネットワークに関して動作し得る。
【００１９】
ＵＥ１０２は、ＵＴＲＡＮのセル２０２、ＧＥＲＡＮのセル２０４及びＥ−ＵＴＲＡＮのセル２０６に通信可能に結合され、又は、これらに選択的に結合される。ＵＴＲＡＮのセル２０２及びＧＥＲＡＮのセル２０４は、ＳＧＳＮ１１８及び移動通信交換局（ＭＳＣ）サーバ２０８に結合され、又は、これらに選択的に結合される。Ｅ−ＵＴＲＡＮのセル２０６は、ＭＭＥ１１０に結合され、又は、これに選択的に結合される。ＭＭＥ１１０は、ＳＧＳＮ１１８及びＭＳＣサーバ２０８に結合され、又は、これらに選択的に結合さる。
【００２０】
ＧＥＲＡＮ１３２及びＵＴＲＡＮ１３０のＲＡＮは、アーキテクチャ２００に具現化されるような、ネットワーク１００の回線交換（ＣＳ）ドメインに接続され得る。加入者がＣＳ音声通話をセットアップする必要があるときに、ＵＥ１０２がＥ−ＵＴＲＡＮ２０６のセル内で動作する、又は、Ｅ−ＵＴＲＡＮ２０６のセルを介して通信する場合に、モバイルネットワーク１００は、ＣＳＦＢ手順を生成できる。例えば、ＣＳＦＢにおいて、Ｅ−ＵＴＲＡＮ２０６のセル内のＵＥ１０２は、ＣＳ通話をセットアップする要求をコアネットワーク１００にシグナリングでき、又は、ＵＥ１０２は、ＣＳ通話用のページングに応答できる。例えば、モバイルネットワーク１００及び／又はアーキテクチャ２００は、例えば、パケット交換（ＰＳ）ハンドオーバを介して、「リリースリダイレクション」手順を介して、又は、ネットワーク支援セルチェンジオーバ（ＣＣＯ）を介して、ＵＥ１０２をＧＥＲＡＮ２０４又はＵＴＲＡＮ２０２のセルにリダイレクトするように動作できる。そのような例において、ＵＥ１０２は、ＭＳＣサーバ２０８を介して、モバイル発信通話をセットアップでき、又は、モバイル着信通話を受信できる。次に、ＧＥＲＡＮ２０４セル及び／又はＵＴＲＡＮ２０２のセル内で、ＣＳ通話が一度リリースされると、ＵＥ１０２は、自然に（例えば、セルリセレクションを介して）あるいは、ＧＥＲＡＮ及び／又はＵＴＲＡＮの助けによって（例えば、ＣＳ通話用の無線接続のリリース中に、ＧＥＲＡＮ２０４のセル及び／又はＵＴＲＡＮ２０２のセルが、ＵＥ１０２に特定のＥ−ＵＴＲＡＮのセル２０６を直ちに選択するように命令する場合）のいずれかで、Ｅ−ＵＴＲＡＮのセル２０６に戻り得る。
【００２１】
ＣＳ通話の間、ＵＥ１０２がＧＥＲＡＮのセル２０４内にあり、ＵＥ１０２又はＧＥＲＡＮのセル２０４が（例えば、デュアル転送モード（ＤＴＭ）機能が存在しない、又はサポートされていないために）複数のＣＳサービス及び複数のパケットサービスの併用をサポートしていない場合、次にネットワーク１００及び／又はアーキテクチャ２００は、ＵＥ１０２に対する複数のパケットサービスを中断し得る。そのような状況において、複数のダウンリンクパケットはＵＥ１０２に供給されなくてもよい、ネットワーク１００及び／又はアーキテクチャ２００の複数のリソースを潜在的に不必要に消費して、パケットデータネットワークゲートウェイ（ＰＤＮ−ＧＷ）によって、ＵＥ１０２に向けて転送され得る。一例において、ＵＥ１０２又は複数のコアネットワークノード（例えば、適宜にＭＭＥ１１０及び／又はＳＧＳＮ１１８）の１つは、複数のゲートウェイが複数のダウンリンクユーザパケットをＵＥ１０２からもはや転送すべきではないことを、サービングゲートウェイ（Ｓ−ＧＷ）又はＰＤＮ−ＧＷに通知できる。更に又は代替的に、ＭＭＥ１１０又はＳＧＳＮ１１８は、複数のリアルタイムサービスに用いられる複数の専用のパケットベアラを無効にし得る。そのような複数のサービスは、複数のユーザデータパケットが比較的短い時間内に供給されることを要求できる。
【００２２】
ＵＥ１０２は無線送受信機２１０、プロセッサ２１２、及びレジスタを含む電子メモリ２１４を含む。送受信機２１０は、ＵＴＲＡＮのセル２０２、ＧＥＲＡＮのセル２０４及びＥ−ＵＴＲＡＮのセル２０６と通信するように構成される。プロセッサ２１２は、概してＵＥ１０２の動作及びそれらのコンポーネント２１０、２１４を少なくとも部分的に制御するように構成される。当技術分野で知られているように、プロセッサ２１２は、マイクロプロセッサ、コントローラ、又は、他の専用のハードウェアであってよい。電子メモリ２１４は、様々な電子メモリ又は当技術分野で知られている複数のデータレジスタを実装するのに適した他の技術のいずれかに従って実装される複数のレジスタであってよく、又は、当該複数のレジスタを含んでよい。
【００２３】
図３を参照すると、説明される様々な態様に従って呼設定時間を減少するＣＳＦＢ手順３００のスキーム又はデータフロー３００が示される。データフロー３００は、ＣＳＦＢを利用するＬＴＥの音声サービスを提供するための方法を示し、音声サービスは、ＳＲＶＣＣによりサポートされ得る。例えば、データフロー３００は、特に、ＵＥがモバイル発信のためにＧＥＲＡＮ／ＵＴＲＡＮにチューニングしたときに、ＣＳＦＢ中の認証を省略する進化型ＣＳＦＢ手順３００を示す。ＣＳＦＢを有効にするべく、ＭＭＥコンポーネント１１０は、ＵＥ１０２が回線交換ネットワーク及びパケット交換ネットワークの両方に登録されることを可能とするサーバゲートウェイのインタフェースを介してＭＳＣサーバコンポーネント２０８に接続し、ＭＭＥコンポーネント１１０は、更に、モバイル通話に応答して、又は、モバイル通話のために、ＬＴＥネットワーク（例えば、Ｅ−ＵＴＲＡＮ２０６）からＣＳネットワーク（例えば、ＵＴＲＡＮ２０２、ＧＥＲＡＮ２０４）へのフォールバックを可能とする。また、データフロー３００は、例えば、モバイル発信通話に応答して、ＬＴＥネットワークからＣＳネットワークへのフォールバックを有効にするべく、ＣＳＦＢのために動作できる。
【００２４】
図１、２及び３を共に参照すると、３０６で、ＵＥデバイス１０２は、ＣＳＦＢ手順を開始して、拡張サービス要求又は他のサービス要求を通信することによりモバイル通話を発信する。ＵＥデバイス１０２は、例えば、図２に示されるように、Ｅ−ＵＴＲＡＮ２０６からＳ１−ＭＭＥインタフェースを介して、拡張サービス要求をＭＭＥ１１０に提供する（例えば、ＴＳ２３．２７２、従属節６．２を参照）。拡張サービス要求３０６は、ＭＭＥとｅＮｏｄｅＢ３０２又は基地局（例えば、ｅＮＢ）との間のインタフェースを介して無線リソース制御（ＲＲＣ）又はＳ１−ＡＰメッセージにカプセル化され得る。（組み合わせられたＥＰＳ／国際移動体加入者識別番号（ＩＭＳＩ）所属で）ＣＳドメインに所属したときに、ＵＥ１０２は、拡張サービス要求を送信でき、ＵＥデバイス１０２は、登録されたＩＭＳではないので、又は、ＩＭＳ音声サービスは、サービングＩＰコネクティビティアクセスネットワーク（ＩＰ−ＣＡＮ）、ホームＰＬＭＮ又はＵＥ１０２によりサポートされていないので、ＵＥ１０２は、ＩＭＳ音声セッションを開始しない。例えば、ＩＭＳＩは、例えば、回路内の加入者識別モジュール（ＳＩＭ）、コンポーネント、又は、加入者又はＵＥを識別又は認証するために用いられる関連キーを有するデバイスにより格納され得る。
【００２５】
３０８で、ＭＭＥコンポーネント１１０は、拡張サービス３０６要求が通信又は受信されたことに応答して、Ｓ１−ＡＰ  ＵＥコンテキスト成分化要求（ＣＳＦＢインジケータ、ＬＡＩ）メッセージをｅＮＢ３０２に通信する。このＳ１−ＡＰ  ＵＥコンテキスト成分化要求メッセージは、ＵＥデバイス１０２が、ネットワークデバイスにより構成されるＵＴＲＡＮ２０２又はＧＥＲＡＮネットワークに移動されるべきであることをｅＮＢ３０２に示す。ＣＳドメイン接続用に登録されたＰＬＭＮは、ＬＡＩに含まれるＰＬＭＮ  ＩＤにより識別され、ＰＬＭＮ  ＩＤは、ＭＭＥコンポーネント１１０により割り当てられる。
【００２６】
ＭＭＥコンポーネント１１０が、ＣＳＦＢ手順がＵＥデバイス１０２のＥＰＳ契約におけるマルチメディア優先度サービス（ＭＰＳ）のＣＳ優先度に基づいて処理する優先度を有すると判断したことに応答して、又は、既存の緊急通話があるので、ＭＭＥコンポーネント１１０は、ｅＮＢ３０２に対するＳ１−ＡＰメッセージ３０８内のＣＳＦＢの高い優先度のような、優先度インジケーションを設定できる（例えばＴＳ３６．４１３を参照）。緊急通話の場合において、ＭＭＥコンポーネント１１０は、ｅＮＢ３０２が追加のＣＳフォールバックインジケータ３０８を用いてローミング制限及びアクセス制限を抑止することも要求できる（例えば、ＴＳ３６．４１３を参照）。３１０で、ｅＮＢ３０２は、図３に示されるようなＳ１−ＡＰ  ＵＥコンテキスト修正応答メッセージのような、Ｓ１−ＡＰ応答のＣＳＦＢインジケータを有するＳ１−ＡＰ要求に対して応答する。
【００２７】
３１２で、ＵＥデバイス１０２は、キーアクセスセキュリティ管理エンティティ（ＫＡＳＭＥ）からＣＳＦＢ手順３００用の複数のＣＳキーパラメータを導出するように動作する。例えば、複数のキーパラメータは、暗号解読キー（ＣＫ）、ＵＭＴＳ用の整合性キー（ＩＫ）、ＧＳＭ（登録商標）用の暗号解読キー（Ｋｃ）又は関連する複数のキーセット識別子（ＫＳＩ）を含んでよい。更に、ＵＥデバイス１０２は、事前に、ＥＰＳにおける認証の結果からＫＡＳＭＥを受信又は格納してよく、これにより、ＣＳＦＢのための認証処理を回避する。例えば、ＫＡＳＭＥは、ＵＥデバイス１０２、ＭＭＥコンポーネント１１０又は本明細書に説明される複数のネットワークシステムの他のコンポーネントに格納されてよい。
【００２８】
一態様において、ＵＥデバイス１０２（又はモバイル機器デバイス）は、更に、ＣＫＣＳＦＢ又はＩＫＣＳＦＢを利用するように動作し、ＣＫＣＳＦＢ又はＩＫＣＳＦＢは、移動通信用グローバルシステム回線交換暗号解読キー（ＧＳＭ（登録商標）  ＣＳ  Ｋｃ）を生成することにより、ＣＳＦＢのために導出されたＣＫ及びＩＫを有し、ＧＳＭ（登録商標）  ＣＳ  Ｋｃは、６４ビット又は他のビット数（例えば、１２８ビット）の暗号解読キーであってよい。例えば、ＵＥデバイス１０２は、ＣＫ及びＩＫ（特に、ＣＳＦＢ手順用にＫＡＳＭＥから導出されるような、ＣＫＣＳＦＢ及びＩＫＣＳＦＢ）のような、複数のキーパラメータのうちの少なくとも１つのＣＳキーパラメータに基づいてＧＳＭ（登録商標）  ＣＳ  Ｋｃを導出してよい。例えば、ＧＳＭ（登録商標）暗号解読Ｋｃは、ＧＳＭ（登録商標）セキュリティコンテキストデータの一部として利用されてよく、ＧＳＭ（登録商標）セキュリティコンテキストデータは、ＧＳＭ（登録商標）認証及びキー共有手順（ＧＳＭ（登録商標）  ＡＫＡ）の実行を介するような、ユーザ（ＵＥデバイス）とサービングネットワークドメインとの間に確立される状態である。例えば、ＧＳＭ（登録商標）セキュリティコンテキストデータは、ＵＥデバイス１０２及びネットワークコンポーネント又はデバイスの両端で格納されてよく、ＧＳＭ（登録商標）暗号解読キーＫｃ及び暗号解読キーのシーケンス番号（ＣＫＳＮ）のうち少なくとも一方を有してよい。
【００２９】
別の態様において、ＵＥデバイス１０２は、複数のＣＳキーパラメータに基づいて、予め定められた関数を用いてＧＳＭ（登録商標）  ＣＳ  Ｋｃを生成又は導出するように構成される。例えば、ＧＳＭ（登録商標）  ＣＳ  Ｋｃは、ｃ３関数で生成されてよい（例えば、ＴＳ３３．１０２を参照）。ＵＥデバイス１０２は、複数のＣＳキーパラメータに関連付けられるＫＳＩ（例えば、拡張ＫＳＩ（ｅＫＳＩ）又は他のＫＳＩ）値をＧＳＭ（登録商標）  ＣＳ暗号解読キーのシーケンス番号（ＧＳＭ（登録商標）  ＣＳ  ＣＫＳＮ）に割り当てるように更に構成され、ＧＳＭ（登録商標）  ＣＳ  ＣＫＳＮは、ＧＳＭ（登録商標）  ＣＳ  Ｋｃに関連付けられてよく、又は、これに対応してよい。一例において、ＣＫＳＮ（例えば、ＧＳＭ（登録商標）  ＣＳ  ＣＫＳＮ）は、暗号解読キーの一貫性を保証する手段、又は、ネットワーク内で生成される様々な暗号化キー又は暗号解読キーを参照することが可能な手段として、ＧＳＭ（登録商標）システム又は他のネットワークシステム内のキー管理に利用されてよい。ＵＥデバイス１０２は、次に、複数のＣＳキーパラメータに基づいて変換関数から導出されるＧＳＭ（登録商標）  ＣＳ  Ｋｃを用いて、そのメモリ及びユニバーサル加入者識別モジュール（ＵＳＩＭ）を更に更新してよい。更に、ＵＥデバイス１０２は、ＧＳＭ（登録商標）  ＣＳ  ＣＫＳＮを用いて、そのメモリ及びＵＳＩＭを更に更新してよい。
【００３０】
３１４で、ＭＭＥコンポーネント１１０は、３１２におけるＵＥデバイス１０２としての類似の処理及び機能に沿って動作するように構成される。更に、又は、代替的に、通信ネットワークの他のコンポーネント又はネットワークデバイス（例えば、ＭＳＣコンポーネント２０８）は、類似の態様でも動作するように構成されてよい。３１４で、データフロー図は、３０８及び３１０における処理の後にあるように示されているが、ここでの動作は、一連の動作又はイベントとして説明され、そのような複数の動作又は複数のイベントの示された順序は、限定的な意味に解釈されないことが理解されよう。例えば、データフロー３００の３１４又は他の動作（例えば、３１２）での処理は、例えば、データフロー３００の他のシーケンス又は段階で生じる。
【００３１】
別の態様において、３０６におけるＵＥデバイス１０２から拡張サービス要求メッセージを受信することに応答して、ＭＭＥコンポーネント１１０は、ネットワークデバイス上で又はその場所で格納又は受信されるＫＡＳＭＥから複数のＣＳキーパラメータを生成するように構成される。上述のように、これらのキーパラメータは、ＫＳＩと共にＣＫ、ＩＫを含み得る。移動通信用グローバルシステム回線交換暗号解読キーＫｃ（ＧＳＭ（登録商標）  ＣＳ  Ｋｃ）を生成することにより、ＣＳＦＢ用に利用されるべく、ＭＭＥコンポーネント１１０は、ＣＫＣＳＦＢ又はＩＫＣＳＦＢ、ＣＫ、ＩＫ若しくはＫＳＩも利用するように動作してよく、ＧＳＭ（登録商標）  ＣＳ  Ｋｃは、６４ビット又は他のビット数（例えば、１２８ビット）の暗号解読キーであってよい。ＭＭＥコンポーネント１１０は、１又は複数のＣＳキーパラメータに基づいてＧＳＭ（登録商標）  ＣＳ  Ｋｃを導出してよい。ＧＳＭ（登録商標）暗号解読Ｋｃ又はＭＭＥコンポーネント１１０用の追加のものは、例えば、ＧＳＭ（登録商標）セキュリティコンテキストデータの一部として利用されてよい。
【００３２】
別の態様において、ＭＭＥコンポーネント１１０は、複数のＣＳキーパラメータに基づいて、予め定められた関数を用いてＧＳＭ（登録商標）  ＣＳ  Ｋｃを生成又は導出するように構成される。例えば、ＧＳＭ（登録商標）  ＣＳ  Ｋｃは、ｃ３関数で生成されてよい（例えば、ＴＳ３３．１０２を参照）。ＭＭＥコンポーネント１１０は、複数のＣＳキーパラメータに関連付けられるＫＳＩ（例えば、拡張ＫＳＩ（ｅＫＳＩ）又は他のＫＳＩ）値をＧＳＭ（登録商標）  ＣＳ  ＣＫＳＮに割り当てるように更に構成されてもよく、ＫＳＩ値は、ＧＳＭ（登録商標）  ＣＳ  Ｋｃに関連付けられてよく、又は、ＧＳＭ（登録商標）  ＣＳ  Ｋｃに対応してよい。
【００３３】
ＭＭＥコンポーネント１１０は、３１６で、例えば、３０６における拡張サービス要求、３１０におけるＳ１−ＡＰ応答、又は、３１２又は３１４における複数のＣＳキーパラメータの導出に応答して、例えば、Ｓｖインタフェースを介してＭＳＣサーバコンポーネント２０８にＣＳＦＢ手順３００を促進すべく、ＣＳＦＢ要求を通信してよい。ＭＳＣサーバコンポーネント２０８は、３１８で、例えば、ＣＳＦＢ状態又は他の応答を示す又は確認するメッセージのような、ＣＳＦＢ応答をＭＭＥコンポーネント１１０に更に通信するように構成される。
【００３４】
別の態様において、ＣＳＦＢがＥ−ＵＴＲＡＮ２０６からＧＥＲＡＮ２０４になることに応答して、例えば、上記の態様及び図３に説明された機能は、ＭＭＥコンポーネント１１０、進化型ＭＳＣサーバコンポーネント２０８及びＵＥデバイス１０２にも適用してよい。また、進化型ＭＳＣサーバコンポーネント２０８は、例えば、ＫＡＳＭＥから複数のＣＳキーパラメータを導出し、また、キー変換関数ｃ３のような予め定められた関数を用いてＣＫＣＳＦＢ又はＩＫＣＳＦＢからＧＳＭ（登録商標）  ＣＳ暗号解読キーＫｃ又はＧＳＭ（登録商標）  ＣＳ  Ｋｃを導出するように構成されてよい（例えば、ｃ３関数についてＴＳ３３．１０２を参照）。ＭＳＣサーバコンポーネント２０８は、更に、ｅＫＳＩの値、例えば、又は他のＫＳＩの値を、ＧＳＭ（登録商標）  ＣＳ  Ｋｃに関連付けられるＧＳＭ（登録商標）  ＣＳ  ＣＫＳＮに割り当ててよい。対象のＭＳＣサーバコンポーネント２０８と、例えば、ＵＥデバイス１０２とは、更に、暗号化アルゴリズムが対象基地局（例えば、ＢＳＳ／ＲＮＳ３０４）により選択されることに応答して、又は、対象基地局３０４が１２８ビットのＧＳＭ（登録商標）  ＣＳ暗号解読キーＫｃ１２８を要求する又はこれを必要とすることに応答して、１２８ビットのＧＳＭ（登録商標）  ＣＳ暗号解読キーＫｃ１２８（ＧＳＭ（登録商標）  ＣＳ  Ｋｃ１２８）（例えば、ＴＳ３３．１０２を参照）を計算してよい。 ＵＥデバイス１０２及びＭＳＣサーバコンポーネント２０８は、次に、ＫＳＩ又はｅＫＳＩの値を、ＧＳＭ（登録商標）  ＣＳ  Ｋｃ１２８に関連付けられるＧＳＭ（登録商標）  ＣＳ  ＣＫＳＮに割り当てる。
【００３５】
別の態様において、複数のＣＳキーパラメータ又はＣＳＦＢのためのキー導出は、ＮＡＳアップリンクＣＯＵＮＴ値であるＰ０を有してよく、Ｌ０は、ＮＡＳアップリンクＣＯＵＮＴ値の長さに等しくてよく、一方、Ｆｃは、複数の予約された／使用されていない値（０ｘ１Ｃ−０ｘ１Ｆ）のうちの１つであってよい（例えば、ＴＳ３３．４０１、付録Ａ．１２／Ａ．１３を参照）。キー導出関数（ＫＤＦ）は、本明細書の予め定められた関数に用いられてよく、例えば、キー導出関数（ＫＤＦ）は、ＴＳ３３．４０１の節Ａ．７及びＴＳ３３．２２０の付録Ｂに規定されている。
【００３６】
別の態様において、ＳＲＶＣＣがＣＳＦＢによりトリガされた場合、ＳＲＶＣＣ用の複数のＣＳキーパラメータが利用されてよく、例えば、ＣＫＳＲＶＣＣ又はＩＫＳＲＶＣＣがＣＳＦＢ手順３００用のＣＫＣＳＦＢ又はＩＫＣＳＦＢを置き換えることに用いられ得ることを意味する。よって、ＣＳＦＢ手順を発信するべく、拡張サービス要求メッセージの受信又は拡張サービス要求メッセージの通信と同時に、又は、これらの後に、ＳＲＶＣＣスキームがアクティブになることに応答して、説明される複数のコンポーネント又は複数のデバイス（例えば、ＵＥデバイス１０２、ＭＭＥコンポーネント１１０、ＭＳＣサーバコンポーネント２０８等）は、複数のＳＲＶＣＣキーパラメータと共に複数のＣＳキーパラメータを利用して、更にＣＳＦＢ処理を促進してよい。 
【００３７】
図３の３２０で、ＣＳＦＢ手順３００は、ＧＥＲＡＮ／ＵＴＲＡＮにおける発信通話がパケットサービスハンドオーバ（ＰＳ  ＨＯ）サポート付きであるか、又は、パケットサービスハンドオーバ（ＰＳ  ＨＯ）サポートなしであるかに基づく更なる動作に従って更に動作する。ＰＳ  ＨＯ付きの通話に応答して、次に、処理は、例えば、ＴＳ２３．２７２の図６．２−１の２−７に従って進む。通話がＰＳ  ＨＯなしである場合、次に、ステップ２−７は、例えば、ＴＳ２３．２７２の図６．３−１に示すように進んでよい。しかしながら、上記の処理の結果として、３１２又は３１４で、ＵＥデバイス又はネットワークデバイス／コンポーネント（例えば、ＭＭＥ又はＭＳＣ）の別個の認証が回避され得る。
【００３８】
図４を参照すると、ＵＥ１０２がモバイル着信手順のためにＧＥＲＡＮ／ＵＴＲＡＮにチューニングしたときに、１又は複数の認証処理を更に省略する進化型ＣＳＦＢ手順が示される。
【００３９】
４０２で、ＭＳＣサーバコンポーネント２０８は、着信音声通話を受信してよく、ページング要求を（例えば、ＩＭＳＩ又はＴＭＳＩを介して、任意の発信者回線識別番号及び接続管理情報、ＣＳ通話インジケータ、優先度インジケーションを）ＳＧインタフェースを介してＭＭＥコンポーネント１１０に送信することにより応答してよい。ＭＳＣサーバコンポーネント３０８は、例えば、ＳＧインタフェースを用いて位置更新情報を提供する、ＵＥデバイス（例えば、ＵＥデバイス１０２）用のＣＳページを通信する。アクティブモードにおいて、ＭＭＥコンポーネント１１０は、確立されたＳ１接続を有し、所属又は組み合わされたＴＡ／ＬＡ更新手順の間に、ＭＭＥコンポーネント１１０が「ＳＭＳのみ」のインジケーションをＵＥデバイス１０２に戻していないことに応答して、ＭＭＥコンポーネント１１０は、既存の接続を再利用して、４０４におけるＣＳサービス通知のようにＣＳページをＵＥデバイス１０２にリレーしてよい。しかしながら、所属又は組み合わされたＴＡ／ＬＡ更新手順の間に、ＭＭＥコンポーネント１１０が「ＳＭＳのみ」のインジケーションをＵＥデバイス１０２に戻したことに応答して、ＭＭＥコンポーネント１１０は、４０４におけるＣＳサービス通知をＵＥデバイス１０２に送信することを控え、４１２で、ＭＭＥコンポーネント１１０は、ＣＳページング手順を停止するべく、ページング拒否メッセージ又は通知をＭＳＣサーバコンポーネント２０８に対して送信してＣＳページング手順を停止し、それにより、ＣＳＦＢ手順が停止する。
【００４０】
ｅＮＢ３０２は、ページングメッセージをＵＥデバイス１０２に転送する。メッセージは、（ページングを開始したドメインを示す）ＣＮドメインインジケータを含み、ＭＳＣサーバコンポーネント２０８から受信した場合には、発信者回線識別番号も含む。
【００４１】
４０６で、ＭＭＥコンポーネント１１０は、次に、ＵＥデバイス１０２が接続モードであったことのインジケーションを含むＳＧサービス要求メッセージをＭＳＣサーバコンポーネント２０８に送信する。ＭＳＣサーバコンポーネント２０８は、この接続モードのインジケーションを用いて、ＵＥデバイス１０２に対して無応答タイマで転送する通話を開始し、ＭＳＣサーバコンポーネント２０８は、発呼者に警告するユーザのインジケーションを送信する。４０６におけるＳＧサービス要求メッセージの受信は、ＭＳＣサーバコンポーネント２０８がＳＧインタフェースページングメッセージを再送するのを停止させる。
【００４２】
留意点において、予め設定されたポリシは、発信者回線識別番号の表示なしでディスターブされることを回避するべく、ＵＥデバイス１０２により用いられてよく、詳述される処理は、ＣＴ１及びＣＴ６のような音声処理のクラスタイプ（ＣＴ）の態様で判断されてよい。更に、上記のこの処理は、また、事前のページングが実施された場合に、ＭＳＣサーバコンポーネント２０８がＨＳＳ１２６からマップＰＲＮを受信した後に、直ちに行われてよい。発信者回線識別番号及びＣＳ通話インジケータは、事前のページングの場合にも提供されてよい。更に、潜在的に長期間の沈黙又は待機を発呼者に経験させることを回避するために、ＭＳＣサーバコンポーネント２０８は、通話が進行していることを発呼者に通知するトリガとして、４０６で、ＳＧサービス要求メッセージを用いてよい。ＭＭＥコンポーネント１１０が優先度インジケーション、例えば、ｅＭＬＰＰ優先度と共にページング要求メッセージをＭＳＣサーバコンポーネント２０８から受信した場合、次に、ＭＭＥコンポーネント１１０は、このメッセージ及び他の通常の手順と優先的に比較される後続のＣＳＦＢ手順も処理する。 
【００４３】
４０８で、ＵＥデバイス１０２は、モバイル着信ＣＳＦＢ手順に対する、４０８における（拒否又は承認として）拡張サービス要求メッセージをＭＭＥコンポーネント１１０に送信する。拡張サービス要求メッセージは、ＲＲＣ及びＳ１−ＡＰメッセージにカプセル化されてよい。ＵＥデバイス１０２は、次に、発信者回線識別番号に基づいてＣＳＦＢを拒否することを判断してよい。
【００４４】
４１２で、モバイル着信ＣＳＦＢ手順に対する拒否として、４０８における拡張サービス要求を受信したことに応答して、ＭＭＥコンポーネント１１０は、ＣＳページング手順を停止するべく、ＭＳＣサーバコンポーネント２０８に対してＣＳページング拒否を送信し、現在のＣＳＦＢ手順が停止する。
【００４５】
４１４で、ＭＭＥコンポーネント１１０は、（ＣＳＦＢインジケータ、ＬＡＩを有する）Ｓ１−ＡＰ  ＵＥコンテキスト修正要求メッセージをｅＮＢデバイス３０２に送信する。 このメッセージは、ＵＥデバイス１０２がＵＴＲＡＮ／ＧＥＲＡＮネットワークに移動されるべきであることをｅＮＢデバイス３０２に示す。ＣＳドメイン用に登録されたＰＬＭＮは、ＬＡＩに含まれるＰＬＭＮ  ＩＤにより識別され、ＰＬＭＮ  ＩＤは、ＭＭＥコンポーネント１１０により割り当てられる。ＭＭＥコンポーネント１１０が、４０２から４０８におけるステップ１ａの一部で優先度インジケーションを受信した場合、ＭＭＥコンポーネント１１０は、Ｓ１−ＡＰ  ＵＥコンテキスト修正要求メッセージとしてＳ１−ＡＰ要求を優先度インジケーション、すなわち、「ＣＳＦＢの高い優先度」（例えば、ＴＳ３６．４１３を参照）と共にｅＮＢ３０２に送信する。 
【００４６】
例えば、４１６で、ｅＮＢデバイス３０２は、Ｓ１−ＡＰ  ＵＥコンテキスト修正応答メッセージのようなＳ１−ＡＰ応答でＭＭＥコンポーネント１１０に応答する。
【００４７】
４１０で、ＵＥデバイス１０２は、ＫＡＳＭＥからＣＳＦＢ用の１又は複数のＣＳキーパラメータを生成又は導出してよい。ＣＳＦＢ手順用の１又は複数のＣＳキーパラメータの導出は、例えば、拡張サービス要求がＵＥデバイス１０２により４０８で通信されている間又は通信された後の任意の時点、動作又は段階で行われてよい。ＵＥ又はＭＥデバイス１０２は、予め定められた変換関数としてｃ３関数（例えば、ＴＳ３３．１０２を参照）を用いてＧＳＭ（登録商標）  ＣＳ  Ｋｃを導出するべく、ＣＫＣＳＦＢ及びＩＫＣＳＦＢを用いてよい。ＵＥデバイス１０２は、（例えば、ＣＫＣＳＦＢ及びＩＫＣＳＦＢに関連付けられたときの）ｅＫＳＩ値を（ＧＳＭ（登録商標）  ＣＳ  Ｋｃに関連付けられる）ＧＳＭ（登録商標）  ＣＳ  ＣＫＳＮに割り当ててよい。ＵＥデバイス１０２は、更に、ＧＳＭ（登録商標）  ＣＳ  Ｋｃ及びＧＳＭ（登録商標）  ＣＳ  ＣＫＳＮを用いてＵＳＩＭ及びＵＥ１０２を更新してよい。
【００４８】
４１８で、ＭＭＥコンポーネント１１０は、ＫＡＳＭＥからＣＳＦＢ用の１又は複数のＣＳキーパラメータも導出してよい。４２０で、ＭＭＥコンポーネント１１０は、導出されたＣＳＦＢ用の当該ＣＳキーパラメータを含むＣＳＦＢ要求メッセージをＭＳＣサーバコンポーネント２０８に送信する。４２２で、ＭＳＣサーバコンポーネント２０８は、ＣＳＦＢ用の当該ＣＳキーパラメータを格納し、ＣＳＦＢ応答メッセージをＭＭＥコンポーネント１１０に送信する。対象のネットワークがネットワークデバイスのＧＥＲＡＮネットワーク１３２、２０４である場合、進化型ＭＳＣサーバコンポーネント２０８は、更に、キー変換関数ｃ３（例えば、ＴＳ３３．１０２を参照）の助けを利用してＣＫＣＳＦＢ及びＩＫＣＳＦＢからＧＳＭ（登録商標）  ＣＳ暗号解読キーＫｃを導出し、ＧＳＭ（登録商標）  ＣＳ  Ｋｃに関連付けられるＧＳＭ（登録商標）  ＣＳ  ＣＫＳＮにｅＫＳＩの値を割り当ててよい。
【００４９】
ＰＳ  ＨＯサポートが存在するか存在しないかに応じて、４２４で手順が継続する。ＰＳ  ＨＯサポート付きのＧＥＲＡＮ／ＵＴＲＡＮにおける通話について、ＣＳＦＢ手順は、ＴＳ２３．２７２の図７．３−１におけるアクト２から６と同様の手法で進む。ＰＳ  ＨＯサポートなしのＧＥＲＡＮ／ＵＴＲＡＮにおける通話について、ＣＳＦＢ手順は、ＴＳ２３．２７２の図７．４−１におけるアクト２から９と同様の手法で進む。別の態様において、ＳＲＶＣＣがＣＳＦＢによりトリガされ、又は、ＣＳＦＢにより動作可能であることに応答して、ＳＲＶＣＣ用の複数のＣＳキーパラメータが用いられてよく、これは、ＣＫＳＲＣＣＣ及びＩＫＳＲＶＣＣが前述のＣＫＣＳＦＢ及びＩＫＣＳＦＢをそれぞれ置き換えることに用いられてよいことを意味する。
【００５０】
本開示内で説明される方法は、一連の動作又はイベントとして本明細書に示され、かつ、説明される一方、そのような動作又はイベントの示された順序は、限定的な意味に解釈されるべきでないことが理解されよう。例えば、いくつかの動作は、本明細書に示され及び／又は説明される動作又はイベントとは切り離して、他の動作又はイベントと異なる順序で、及び／又は、他の動作又はイベントと同時に行われてよい。更に、示された動作の全てが、本明細書の説明の１又は複数の態様又は実施形態を実装する必要があるとは限らないかもしれない。更に、本明細書で示される動作の１又は複数は、１又は複数の別個の動作及び／又はフェーズで実行されてよい。
【００５１】
図５を参照すると、様々な態様に係る認証手順を省略することにより呼設定時間を短縮するための例示的な方法５００が示される。方法５００は、５０２で、ＫＡＳＭＥを取得する段階から開始する。例えば、ＫＡＳＭＥは、ＨＳＳ１２６又は他のネットワークコンポーネントから受信されてよい。５０４で、方法は、ＥＰＳにおいてＣＳＦＢ手順を発信するべく、例えば、ＵＥからＭＭＥへ、拡張サービス要求メッセージを通信する段階を有する。５０６で、方法は、例えば、ＵＥ、ＭＭＥ又はＭＳＣで、ＫＡＳＭＥから複数のＣＳキーパラメータを生成する段階を有する。例えば、複数のＣＳキーパラメータは、ＣＳＦＢ手順用のＫＳＩ又はＫＳＩ値と共に暗号解読キー（Ｋｃ）及び整合性キー（ＩＫ）を含んでよい。導出処理は、拡張サービス要求が生成に対するトリガとして受信され、又は、これが生成に対するトリガとして通信されることに応答して、例えば、直ちに又は後続の処理段階のいずれかにおいて、開始されてよい。更に、複数のＣＳキーパラメータは、その後の追加の認証動作から独立して、ＣＳＦＢ手順の発信の後に導出されてよい。
【００５２】
５０８で、ＫＡＳＭＥから生成又は導出された複数のＣＳキーパラメータのセットに基づいてＣＳＦＢ手順を促進し又は前進させる。
【００５３】
他の態様において、方法は、複数のＣＳキーパラメータのうちの少なくとも１つのＣＳキーパラメータに基づいてＧＳＭ（登録商標）  ＣＳ  Ｋｃを生成する段階を含んでよい。複数のＣＳキーパラメータのうちの１又は複数に関連付けられ、又は、複数のＣＳキーパラメータのうちの１又は複数に対応するＫＳＩ（例えば、ｅＫＳＩ）は、ＧＳＭ（登録商標）  ＣＳ  ＣＫＳＮであってよい。ユニバーサル加入者識別モジュール（ＵＳＩＭ）は、次に、複数のＣＳキーパラメータに基づいて予め定められた変換関数から導出されるように、ＧＳＭ（登録商標）  ＣＳ  Ｋｃを用いて更新されてよい。
【００５４】
ＣＳＦＢ手順を発信するべく、拡張サービス要求メッセージの通信と同時に、又は、拡張サービス要求メッセージの通信の後に、ＳＲＶＣＣスキームがアクティブになることに応答して、方法５００は、以下のＣＳＦＢ手順のために、複数のＳＲＶＣＣキーパラメータで複数のＣＳキーパラメータを置き換える段階を更に含む。
【００５５】
方法の動作は、１又は複数のネットワークコンポーネント間又はデバイス間でＣＳＦＢを動作させてよい。例えば、第１のネットワークデバイス又はコンポーネントは、Ｅ−ＵＴＲＡＮとして第１のネットワークを生成するように構成されるＥ−ＵＴＲＡＮネットワークデバイスを有してよく、第２のネットワークデバイスは、ＧＥＲＡＮデバイス又はＵＴＲＡＮデバイスを有してよく、ＧＥＲＡＮデバイス又はＵＴＲＡＮデバイスは、ＧＥＲＡＮ又はＵＴＲＡＮとしてそれぞれ第２のネットワークを生成してよい。
【００５６】
一例において、ＭＳＣサーバコンポーネント（例えば、ＭＳＣサーバコンポーネント２０８）は、ＵＥデバイス１０２に通信可能に結合されてよく、ＭＳＣサーバコンポーネント２０８及びＵＥデバイス１０２は、少なくとも１つのＣＳキーパラメータに基づいてＧＳＭ（登録商標）  ＣＳ  Ｋｃを生成し、複数のＣＳキーパラメータに基づいて、ＫＳＩ（例えば、ｅＫＳＩ）値を判断し、ＧＳＭ（登録商標）  ＣＳ  Ｋｃに関連付けられるＧＳＭ（登録商標）  ＣＳ暗号解読キーのシーケンス番号（ＧＳＭ（登録商標）  ＣＳ  ＣＫＳＮ）に対して、複数のＣＳキーパラメータに関連付けられるＫＳＩ値を割り当てるように動作してよい。
【００５７】
ＭＳＣサーバコンポーネント２０８及びＵＥデバイス１０２、並びに、ＭＭＥコンポーネント１１０は、例えば、ＳＲＶＣＣスキームに応答したときに、又は、処理がアクティブであるときに、複数のＣＳキーパラメータに基づいて１２８ビットのＧＳＭ（登録商標）  暗号解読キー（Ｋｃ１２８）を判断するように更に構成される。ＭＳＣサーバコンポーネント及びＵＥデバイスは、Ｋｃ１２８に基づいて、ＧＳＭ（登録商標）  ＣＳ  ＣＫＳＮに対して、複数のＣＳキーパラメータに関連付けられるＫＳＩ値を割り当てるように更に構成される。ＭＳＣサーバコンポーネント２０８は、複数のＣＳキーパラメータに基づいて１２８ビットのＧＳＭ（登録商標）  暗号解読キー（Ｋｃ１２８）を判断してよく、次に、例えば、第２のネットワークデバイス又は対象のｅＮＢ３０２による暗号化処理の選択に応答してＫｃ１２８を第２のネットワークデバイスに通信してよい。
【００５８】
本明細書に説明される態様及び実施形態に係るＣＳＦＢを促進する１又は複数の非限定的な環境に関する更なる説明として、図６は、概略的な例示的な無線環境６００である。特に、例示的な無線環境６００は、複数の無線ネットワークマクロセルのセットを示す。３つのカバレッジマクロセル６０２、６０４及び６０６は、例示的な無線環境を含むが、複数の無線セルラネットワーク配置が任意の数のマクロセルを包含し得ることに留意されたい。カバレッジマクロセル６０２、６０４及び６０６は、六角形として示されているが、複数のカバレッジセルは、配置形状、又は、フロアプラン、カバーされるべき地理的領域等により概して規定される他の形状を採用してよい。各マクロセル６０２、６０４及び６０６は、各マクロセルが３つのセクタを含み、図６において複数の破線で区画される２π／３の形状にセクタ化される。他のセクタ化が可能であり、開示された主題の複数の態様又は複数の特徴がセクタ化のタイプに関わらず活用され得ることに留意されたい。マクロセル６０２、６０４及び６０６は、複数の基地局、又は、ｅＮｏｄｅＢ６０８、６１０及び６１２を介してそれぞれサービス提供される。任意の２つのｅＮｏｄｅＢがｅＮｏｄｅＢサイトのペアとみなされてよい。（複数の）無線コンポーネントが、ケーブル（例えば、ＲＦ及びマイクロ波同軸線）、ポート、スイッチ、コネクタ等のようなリンクを介して、無線信号を送信及び受信する１又は複数のアンテナのセット（不図示）に機能的に結合されることに留意されたい。（複数の）モバイルネットワークプラットホーム６１４の一部であり得る無線ネットワークコントローラ（不図示）、及び、複数のマクロセルのセットをサービス提供する複数の基地局のセット（例えば、ｅＮｏｄｅＢ６０８、６１０及び６１２）、複数の基地局のセット内の複数の基地局に関連付けられる電子回路又は複数のコンポーネント、複数の基地局を介して無線技術に従って動作される個別の無線リンクのセット（例えば、リンク６１６、６１８及び６２０）は、マクロ無線アクセスネットワークを形成することに留意されたい。  複数のネットワーク機能に基づいて、無線コントローラが複数の基地局のセット又は関連する無線機器の間で分散されてよいことに更に留意されたい。態様において、ユニバーサル移動体通信システムベースのネットワークに対し、無線リンク６１６、６１８及び６２０は、Ｕｕインタフェース（ユニバーサル移動体通信システムエアインタフェース）を具現化する。
【００５９】
異種マーケットに対する様々な無線技術に従って、（複数の）モバイルネットワークプラットホーム６１４は、回線交換ベース（例えば、音声及びデータ）及びパケット交換（例えば、インターネットプロトコル、フレームリレー又は非同期転送モード）のトラフィック及び信号の生成、並びに、ネットワーク接続電気通信に対する配信及び受信を促進する。電気通信は、通信に利用される無線技術により判断される通信のための標準化プロトコルに少なくとも部分的に基づく。更に、電気通信は、様々な周波数帯域、又は、キャリアを活用してよく、これらは、サービスプロバイダネットワーク６２２（例えば、パーソナル通信サービス、アドバンスト無線サービス、一般的な無線通信サービス等）により認可された任意の電磁周波数帯域、及び、現在、電気通信に利用可能な任意の認可されていない周波数帯域を含む。更に、（複数の）モバイルネットワークプラットホーム６１４は、例えば、無線ネットワーク管理コンポーネント（例えば、（複数の）無線ネットワークコントローラ、（複数の）セルラゲートウェイノード等）として異種マクロセル６０２、６０４及び６０６において、基地局６０８、６１０及び６１２及びそれらに関連付けられた（複数の）無線コンポーネントを制御及び管理してよい。更に、（複数の）無線ネットワークプラットフォームは、異種ネットワーク（例えば、（複数の）Ｗｉ−Ｆｉネットワーク、（複数の）フェムトセルネットワーク、（複数の）ブロードバンドネットワーク、（複数の）サービスネットワーク、（複数の）企業ネットワーク等）を統合してよい。セルラ無線技術（例えば、第３世代パートナシッププロジェクトユニバーサル移動体通信システム、移動通信用グローバルシステム等）において、モバイルネットワークプラットホーム６１４は、サービスプロバイダネットワーク６２２において具現化されてよい。
【００６０】
更に、（複数の）無線バックホールリンク６２４は、Ｔ１／Ｅ１電話線、Ｔ３／ＤＳ３線、同期又は非同期のいずれかのデジタル加入者線、非対称のデジタル加入者線、光ファイババックボーン、同軸ケーブル等のような複数の有線リンクコンポーネント、及び、地上エアインタフェース又はディープスペースリンク（例えば、ナビゲーションのための衛星通信リンク）を含み得る見通し線又は非見通し線リンクのような複数の無線リンクコンポーネントを含んでよい。態様において、ユニバーサル移動体通信システムベースのネットワークに対し、（複数の）無線バックホールリンク６２４は、ｌｕＢインタフェースを具現化する。
【００６１】
例示的な無線環境６００が複数のマクロセル及び複数のマクロ基地局について示されるが、開示された主題の複数の態様、複数の特徴及び複数の利点は、複数のマイクロセル、複数のピコセル、複数のフェムトセル等において実装されてよく、複数の基地局は、ネットワークへのアクセスに関連するホームベースの機器に具現化され得ることに留意されたい。
【００６２】
開示された主題の様々な態様について更なるコンテキストを提供するべく、図７は、本明細書に開示される複数の特徴又は複数の態様を有効にし得る、及び／又は、当該複数の特徴又は当該複数の態様を活用し得るネットワーク（例えば、基地局、無線アクセスポイント、フェムトセルアクセスポイント等）のアクセスに関連するアクセス機器の実施形態、及び／又は、ソフトウェア７００のブロック図を示す。
【００６３】
ネットワークのアクセスに関連するアクセス機器、ＵＥ及び／又はソフトウェア７００は、セグメント７０２１−７０２Ｂ（Ｂは正の整数である）を介して、複数の無線デバイス、複数の無線ポート、複数の無線ルータ等から（複数の）信号を受信し、及び、これらへ（複数の）信号を送信し得る。セグメント７０２１−７０２Ｂは、ネットワークのアクセスに関連するアクセス機器及び／又はソフトウェア７００の内部及び／又は外部にあってよく、モニタコンポーネント７０４及びアンテナコンポーネント７０６により制御されてよい。モニタコンポーネント７０４及びアンテナコンポーネント７０６は、通信プラットフォーム７０８に結合されてよく、（複数の）受信信号及び送信されるべき他の（複数の）信号の処理及び操作を提供する電子コンポーネント及び関連する回路を含んでよい。
【００６４】
態様において、通信プラットフォーム７０８は、アナログ信号の受信時に当該アナログ信号をデジタル信号に変換でき、かつ、送信時にデジタル信号をアナログ信号に変換できるレシーバ／トランスミッタ７１０を有する。更に、レシーバ／トランスミッタ７１０は、シングルデータストリーミングを複数の並列データストリーミングに分割してよく、又は、逆方向動作を実行してよい。レシーバ／トランスミッタ７１０に結合されるものは、時間及び周波数領域において複数の信号の操作を促進し得るマルチプレクサ／デマルチプレクサ７１２であってよい。マルチプレクサ／デマルチプレクサ７１２は、時分割多重、周波数分割多重、直交周波数分割多重、コード分割多重、空間分割多重のような様々な多重化スキームに従って情報（データ／トラフィック及び制御／シグナリング）を多重化してよい。更に、マルチプレクサ／デマルチプレクサコンポーネント７１２は、情報（例えば、アダマール−ウォルシュコード、バーカコード、カサミコード、多相コード等のような、当技術分野で知られる任意のコードに実質的に従う複数のコード）をスクランブル及び分散してよい。
【００６５】
変調器／復調器７１４は、通信プラットフォーム７０８の一部でもあり、周波数変調、振幅変調（例えば、正の整数Ｍを有するＭ値直交振幅変調、位相偏移変調等）のような複数の変調技術に従って情報を変調してよい。
【００６６】
ネットワークのアクセスに関連するアクセス機器及び／又はソフトウェア７００は、アクセス機器及び／又はソフトウェア７００における任意の電子コンポーネントに実質的に少なくとも部分的に機能を与えるように構成されるプロセッサ７１６も含む。特に、プロセッサ７１６は、例えば、モニタコンポーネント７０４、アンテナコンポーネント７０６及びその中の１又は複数のコンポーネントを介して、アクセス機器及び／又はソフトウェア７００のコンフィギュレーションを促進し得る。更に、アクセス機器及び／又はソフトウェア７００は、ディスプレイインタフェース７１８を含んでよく、ディスプレイインタフェース７１８は、アクセス機器及び／又はソフトウェア７００の機能を制御し、又は、それらの動作条件を明らかにする複数の機能を表示し得る。更に、ディスプレイインタフェース７１８は、エンドユーザに情報を伝達する画面を含んでよい。態様において、ディスプレイインタフェース７１８は、液晶ディスプレイ、プラズマパネル、モノリシック薄膜ベースのエレクトロクロミックディスプレイ等であってよい。更に、ディスプレイインタフェース７１８は、聴覚証拠（ａｕｒａｌ  ｉｎｄｉｃｉａ）の通信を促進するコンポーネント（例えば、スピーカ）を含んでよく、当該コンポーネントは、複数の動作可能な命令をエンドユーザに伝達する複数のメッセージに関連して使用されてもよい。ディスプレイインタフェース７１８は、（例えば、リンク付けされたキーパッドを介して又はタッチジェスチャを介して）データエントリも促進してよく、当該データエントリは、アクセス機器及び／又はソフトウェア７００に外部コマンド（例えば、リスタート動作）を受信させてよい。
【００６７】
ブロードバンドネットワークインタフェース７２０は、（複数の）バックホールリンク（不図示）を介して、１又は複数のセルラ技術（例えば、第３世代パートナシッププロジェクトユニバーサル移動体通信システム、移動通信用グローバルシステム等）を含み得るサービスプロバイダネットワーク（不図示）に対するアクセス機器及び／又はソフトウェア７００の接続を促進し、（複数の）バックホールリンクは、着信及び発信データフローを有効にする。ブロードバンドネットワークインタフェース７２０は、アクセス機器及び／又はソフトウェア７００の内部又は外部にあってよく、エンドユーザインタラクション及び状態情報配信のためにディスプレイインタフェース７１８を利用してよい。
【００６８】
プロセッサ７１６は、通信プラットフォーム７０８に機能的に接続されてよく、直接及び逆高速フーリエ変換、複数の変調レートの選択、複数のデータパケットフォーマットの選択、複数のパケット間の時間等に影響を与えるような、多重化／逆多重化のためのデータ（例えば、複数のシンボル、複数のビット又は複数のチップ）上の動作を促進し得る。更に、プロセッサ７１６は、データ、システム又はアドレスバス７２２を介してディスプレイインタフェース７１８及びブロードバンドネットワークインタフェース７２０に機能的に接続されて、そのようなコンポーネントのそれぞれに少なくとも部分的に機能を与えてよい。
【００６９】
アクセス機器及び／又はソフトウェア７００において、メモリ７２４は、アクセス機器及び／又はソフトウェア７００、アクセス機器及び／又はソフトウェア７００、無線リンク品質及びそれらと関連付けられる強度等の無線環境におけるカバレージエリアのランキングを含み得るセクタインテリジェンスを介して、無線カバレッジへのアクセスを許可する位置及び／又はカバレージエリア（例えば、マクロセクタ、（複数の）識別子）の（複数の）アクセスリストを保持してよい。メモリ７２４は、複数のデータ構造、複数のコード命令、複数のプログラムモジュール、システム又はデバイス情報、スクランブリングのための複数のコードシーケンス、分散及びパイロット送信、アクセスポイント設定等も格納してよい。プロセッサ７１６は、アクセス機器及び／又はソフトウェア７００内に存在するコンポーネント、プラットフォーム及びインタフェースに対して機能を動作させ、及び／又は、これらに対して機能を与えるのに用いられる情報を格納及び取得するために、（例えば、メモリバスを介して）メモリ７２４に結合されてよい。
【００７０】
当該明細書において使用されるように、「プロセッサ」という用語は、シングルコアプロセッサ、ソフトウェアマルチスレッド実行能力を有するシングルプロセッサ、マルチコアプロセッサ、ソフトウェアマルチスレッド実行能力を有するマルチコアプロセッサ、ハードウェアマルチスレッド技術を有するマルチコアプロセッサ、並列プラットフォーム及び分散共有型メモリを有する並列プラットフォームを含むが、これらに限定されない実質的に任意のコンピューティング処理ユニット又はデバイスを指し得る。更に、プロセッサは、本明細書に説明される機能及び／又は処理を実行するように設計された集積回路、特定用途向け集積回路、デジタルシグナルプロセッサ、フィールドプログラマブルゲートアレイ、プログラマブル論理コントローラ、複雑なプログラマブル論理デバイス、ディスクリートゲート若しくはトランジスタ論理、個別のハードウェアコンポーネント又はそれらの任意の組み合わせを指し得る。プロセッサは、空間利用を最適化するために、又は、モバイルデバイスの性能を向上させるために、分子及び量子ドットベースのトランジスタ、スイッチ及びゲート、これらには、限定されない、のような、ナノスケールのアーキテクチャを活用し得る。プロセッサは、複数のコンピューティング処理ユニットの組み合わせとしても実装されてよい。
【００７１】
当該明細書において、「格納」、「データを格納」、「データストレージ」、「データベース」という用語、並びに、コンポーネント及び／又は処理の動作及び機能に関連する実質的に任意の他の情報記憶コンポーネントは、「メモリコンポーネント」、「メモリ」において具現化されるエンティティ、又は、メモリに含まれるコンポーネントを指す。本明細書に説明されるメモリコンポーネントは、揮発性メモリ又は不揮発性メモリのいずれかであってよく、若しくは、揮発性及び不揮発性メモリの両方を含んでよいことに留意されたい。
【００７２】
例示として、かつ、限定ではないものとして、不揮発性メモリ、例えば、メモリ１０２４、不揮発性メモリ（以下を参照）、ディスクストレージ（以下を参照）及び記憶装置（以下を参照）に含まれてよい。更に、不揮発性メモリは、リードオンリメモリ、プログラマブルリードオンリメモリ、電気的プログラマブルリードオンリメモリ、電気的消去可能プログラマブルリードオンリメモリ、又は、フラッシュメモリに含まれてよい。揮発性メモリは、ランダムアクセスメモリを含んでよく、ランダムアクセスメモリは、外部キャッシュメモリとして動作する。例示として、かつ、限定ではないものとして、ランダムアクセスメモリは、シンクロナスランダムアクセスメモリ、ダイナミックランダムアクセスメモリ、シンクロナスダイナミックランダムアクセスメモリ、ダブルデータレートシンクロナスダイナミックランダムアクセスメモリ、進化型シンクロナスダイナミックランダムアクセスメモリ、シンクリンク（Ｓｙｎｃｈｌｉｎｋ）ダイナミックランダムアクセスメモリ及びダイレクトランバスランダムアクセスメモリのような、多くの形態で利用可能である。 更に、本明細書のシステム又は方法の開示されるメモリコンポーネントは、これら及び任意の他の適切なタイプのメモリを含むこと、限定されることなく含むことが意図される。
【００７３】
複数の実施例は、方法、方法の複数の動作又は複数のブロックを実行するための手段、マシンにより実行されるときに，本明細書に説明される複数の実施形態及び複数の例に従って、複数の通信技術を用いた同時通信に対する方法の複数の動作若しくは装置又はシステムの複数の動作をマシンに実行させる複数の命令を含む少なくとも１つの機械可読媒体のような主題を含み得る。
【００７４】
実施例１は、複数の実行可能命令を格納するメモリと、メモリに結合されるプロセッサとを備えるユーザ機器（ＵＥ）である。プロセッサは、キーアクセスセキュリティ管理エンティティ（ＫＡＳＭＥ）を取得し、進化型パケットシステム（ＥＰＳ）における回線交換フォールバック（ＣＳＦＢ）手順を発信するべく拡張サービス要求メッセージを通信し、ＫＡＳＭＥから複数の回線交換（ＣＳ）キーパラメータを生成し、ＫＡＳＭＥから生成される複数のＣＳキーパラメータに基づいてＣＳＦＢ手順を促進する複数の実行可能命令を実行するように構成される。
【００７５】
実施例２は、実施例１の主題を含み、プロセッサは、複数のＣＳキーパラメータのうち少なくとも１つＣＳキーパラメータに基づいて移動通信用グローバルシステム回線交換暗号解読キー（ＧＳＭ（登録商標）  ＣＳ  Ｋｃ）を生成する複数の実行可能命令を実行するように更に構成される。
【００７６】
実施例３は、任意の特徴を含み、又は、任意の特徴を省略した、実施例１−２のいずれかの主題を含み、プロセッサは、複数のＣＳキーパラメータに関連付けられるキーセット識別子（ＫＳＩ）値を、ＧＳＭ（登録商標）  ＣＳ暗号解読キーのシーケンス番号（ＧＳＭ（登録商標）  ＣＳ  ＣＫＳＮ）に割り当てる複数の実行可能命令を実行するように更に構成される。
【００７７】
実施例４は、任意の特徴を含み、又は、任意の特徴を省略した、実施例１−３のいずれかの主題を含み、プロセッサは、複数のＣＳキーパラメータに基づいて変換関数から導出される、導出されたＧＳＭ（登録商標）  ＣＳ  Ｋｃを用いてユニバーサル加入者識別モジュール（ＵＳＩＭ）を更新する複数の実行可能命令を実行するように更に構成される。
【００７８】
実施例５は、任意の特徴を含む、又は、任意の特徴を省略した、実施例１−４のいずれかの主題を含み、複数のＣＳキーパラメータは、ＣＳＦＢ手順用のＫＳＩと共に暗号解読キー及び整合性キーを有する。
【００７９】
実施例６は、任意の特徴を含む、又は、任意の特徴を省略した、実施例１−５のいずれかの主題を含み、プロセッサは、ＣＳＦＢ手順を発信するべく、拡張サービス要求メッセージの通信と同時に、又は、拡張サービス要求メッセージの通信の後に、単一無線音声通信継続（ＳＲＶＣＣ）スキームがアクティブになることに応答して、複数のＣＳキーパラメータを複数のＳＲＶＣＣキーパラメータと置き換える複数の実行可能命令を実行するように更に構成される。
【００８０】
実施例７は、任意の特徴を含む、又は、任意の特徴を省略した、実施例１−６のいずれかの主題を含み、プロセッサは、追加の認証動作から独立して、ＣＳＦＢ手順の発信の後に複数のＣＳキーパラメータを導出する複数の実行可能命令を実行するように更に構成される。
【００８１】
実施例８は、複数の実行可能命令を格納するメモリを有するプロセッシングデバイスを備える回線交換フォールバック（ＣＳＦＢ）のためのシステムである。プロセッシングデバイスは、少なくとも、承認又は認証処理を可能とするセキュリティキーを判断し、モバイル発信通話又はモバイル着信通話に応答して、第１のネットワークデバイスの第１のネットワークから第２のネットワークデバイスの第２のネットワークにＣＳＦＢ処理を発信するべく、拡張サービス要求メッセージを受信し、セキュリティキーから複数の回線交換（ＣＳ）キーパラメータを生成し、セキュリティキーから複数のＣＳキーパラメータに基づいてＣＳＦＢ手順を促進する複数の実行可能命令を実行するように構成される。
【００８２】
実施例９は、実施例８のいずれかの主題を含み、プロセッシングデバイスは、複数のＣＳキーパラメータに基づいて、変換関数を用いて移動通信用グローバルシステム回線交換暗号解読キー（ＧＳＭ（登録商標）  ＣＳ  Ｋｃ）を生成する複数の実行可能命令を実行するように更に構成される。
【００８３】
実施例１０は、任意の特徴を含み、又は、任意の特徴を省略した、実施例８−９のいずれかの主題を含み、プロセッシングデバイスは、セキュリティキーから複数のＣＳキーパラメータに基づいてＣＳＦＢ手順を促進すべく、移動通信交換局（ＭＳＣ）サーバコンポーネントに複数のＣＳキーパラメータを通信する複数の実行可能命令を実行するように更に構成される。
【００８４】
実施例１１は、任意の特徴を含み、又は、任意の特徴を省略した、実施例８−１０のいずれかの主題を含み、第１のネットワークデバイスは、進化型ユニバーサル移動通信システム地上波無線アクセスネットワーク（Ｅ−ＵＴＲＡＮ）として第１のネットワークを生成するように構成されるＥ−ＵＴＲＡＮデバイスを有し、第２のネットワークデバイスは、汎用パケット無線サブシステム進化型無線アクセスネットワーク（ＧＥＲＡＮ）又はＵＴＲＡＮとして、それぞれ第２のネットワークを生成するように構成されるＧＥＲＡＮデバイス又はＵＴＲＡＮデバイスを有する。
【００８５】
実施例１２は、任意の特徴を含み、又は、任意の特徴を省略した、実施例８−１１のいずれかの主題を含み、ユーザ機器（ＵＥ）デバイスに通信可能に結合されるＭＳＣサーバコンポーネントを更に備え、ＭＳＣサーバコンポーネント及びＵＥデバイスは、複数のＣＳキーパラメータのうち少なくとも１つのＣＳキーパラメータに基づいてＧＳＭ（登録商標）  ＣＳ  Ｋｃを生成し、複数のＣＳキーパラメータに基づいてキーセット識別子（ＫＳＩ）値を判断し、ＧＳＭ（登録商標）  ＣＳ  Ｋｃに関連付けられるＧＳＭ（登録商標）  ＣＳ暗号解読キーのシーケンス番号（ＧＳＭ（登録商標）  ＣＳ  ＣＫＳＮ）に対して前記複数のＣＳキーパラメータに関連付けられる前記ＫＳＩ値を割り当てるように構成される。
【００８６】
実施例１３は、任意の特徴を含み、又は、任意の特徴を省略した、実施例８−１２のいずれかの主題を含み、第１のネットワークデバイスは、Ｅ−ＵＴＲＡＮデバイスを有し、第２のネットワークデバイスは、ＧＥＲＡＮデバイスを有する。
【００８７】
実施例１４は、任意の特徴を含み、又は、任意の特徴を省略した、実施例８−１３のいずれかの主題を含み、ＭＳＣサーバコンポーネント及びＵＥデバイスは、複数のＣＳキーパラメータに基づいて、１２８ビットのＧＳＭ（登録商標）  暗号解読キー（Ｋｃ１２８）を判断するように更に構成される。
【００８８】
実施例１５は、任意の特徴を含み、又は、任意の特徴を省略した、実施例８−１４のいずれかの主題を含み、ＭＳＣサーバコンポーネント及びＵＥデバイスは、Ｋｃ１２８に基づいて、ＧＳＭ（登録商標）  ＣＳ  ＣＫＳＮに対して、複数のＣＳキーパラメータに関連付けられるＫＳＩ値を割り当てるように更に構成される。
【００８９】
実施例１６は、任意の特徴を含み、又は、任意の特徴を省略した、実施例８−１５のいずれかの主題を含み、複数のＣＳキーパラメータに基づいて１２８ビットのＧＳＭ（登録商標）  暗号解読キー（Ｋｃ１２８）を判断し、第２のネットワークデバイスによる暗号化処理の選択に応答して第２のネットワークデバイスにＫｃ１２８を通信するように構成されるＭＳＣサーバコンポーネントを更に備える。
【００９０】
実施例１７は、任意の特徴を含み、又は、任意の特徴を省略した、実施例８−１６のいずれかの主題を含み、プロセッシングデバイスは、ＣＳＦＢ手順を発信するべく、拡張サービス要求メッセージの受信と同時に、又は、拡張サービス要求メッセージの受信の後に、単一無線音声通信継続（ＳＲＶＣＣ）スキームがアクティブになることに応答して、複数のＣＳキーパラメータを複数のＳＲＶＣＣキーパラメータと置き換える複数の実行可能命令を実行するように更に構成される。
【００９１】
実施例１８は、任意の特徴を含み、又は、任意の特徴を省略した、実施例８−１７のいずれかの主題を含み、プロセッシングデバイスは、複数のＣＳキーパラメータに基づくＧＳＭ（登録商標）  ＣＳ  Ｋｃを用いてユニバーサル加入者識別モジュール（ＵＳＩＭ）を更新する複数の実行可能命令を実行するように更に構成される。
【００９２】
実施例１９は、実行に応答して、プロセッサを有するシステムに、キーアクセスセキュリティ管理エンティティ（ＫＡＳＭＥ）から複数の回線交換（ＣＳ）キーパラメータを導出する手順と、回線交換フォールバック（ＣＳＦＢ）手順及び複数のＣＳキーパラメータを発信するべく拡張サービス要求メッセージを通信又は受信する手順と、ＫＡＳＭＥから導出される複数のＣＳキーパラメータに基づいてＣＳＦＢ手順を促進する手順とを有する複数の動作を実行させる、複数の実行可能命令を格納するコンピュータ可読記憶デバイスである。
【００９３】
実施例２０は、実施例１９の主題を含み、複数の動作は、複数のＣＳキーパラメータのうちの少なくとも１つのＣＳキーパラメータに基づいて、移動通信用グローバルシステム回線交換暗号解読キー（ＧＳＭ（登録商標）  ＣＳ  Ｋｃ）を生成する手順と、複数のＣＳキーパラメータに基づいてキーセット識別子（ＫＳＩ）値を判断する手順と、ＧＳＭ（登録商標）  ＣＳ  Ｋｃに対応するするＧＳＭ（登録商標）  ＣＳ暗号解読キーのシーケンス番号（ＧＳＭ（登録商標）  ＣＳ  ＣＫＳＮ）に対して複数のＣＳキーパラメータに関連付けられるＫＳＩ値を割り当てる手順とを更に備える。
【００９４】
実施例２１は、任意の特徴を含み、又は、任意の特徴を省略した、実施例１９−２０のいずれかの主題を含み、複数の動作は、ＣＳＦＢ手順を発信するべく、拡張サービス要求メッセージの受信と同時又は拡張サービス要求メッセージの受信の後、若しくは、拡張サービス要求メッセージの通信と同時又は拡張サービス要求メッセージの通信の後に、単一無線音声通信継続（ＳＲＶＣＣ）スキームがアクティブであることに応答して、複数のＣＳキーパラメータを複数のＳＲＶＣＣキーパラメータと置き換える手順を更に含む。
【００９５】
本明細書に説明される複数の態様がハードウェア、ソフトウェア、ファームウェア又はそれらの任意の組み合わせにより実装され得ることが理解されるべきである。ソフトウェアに実装されるときに、複数の機能が、１又は複数の命令又はコードとしてコンピュータ可読媒体に格納され、又は、１又は複数の命令又はコードとしてコンピュータ可読媒体を介して送信される。コンピュータ可読媒体は、コンピュータ記憶媒体、及び、ある場所から別の場所へのコンピュータプログラムの転送を促進する任意の媒体を含む通信媒体の両方を含む。記憶媒体又はコンピュータ可読記憶デバイスは、汎用コンピュータ又は専用コンピュータによりアクセスされ得る任意の利用可能な媒体であってよい。例として、かつ、限定的ではないものとして、そのようなコンピュータ可読媒体は、所望の情報又は実行可能命令を運び又は格納するのに用いられ得る、ＲＡＭ、ＲＯＭ、ＥＥＰＲＯＭ、ＣＤ‐ＲＯＭ又は他の光ディスクストレージ、磁気ディスクストレージ又は他の磁気ストレージデバイス、又は他の有形及び／又は非一時的媒体を含んでよい。また、任意の接続が、適切にコンピュータ可読媒体と称される。例えば、ソフトウェアが、同軸ケーブル、ファイバ光ケーブル、ツイストペア、デジタル加入者線（ＤＳＬ）、又は、赤外線、無線及びマイクロ波のような無線技術を用いて、ウェブサイト、サーバ又は他のリモートソースから送信される場合、次に、同軸ケーブル、ファイバ光ケーブル、ツイストペア、ＤＳＬ又は、赤外線、無線及びマイクロ波のような無線技術は、媒体の定義に含まれる。本明細書に使用されたように、ディスク（ｄｉｓｋ）及びディスク（ｄｉｓｃ）は、コンパクトディスク（ＣＤ）、レーザディスク、光ディスク、デジタル多用途ディスク（ＤＶＤ）、フロッピー（登録商標）ディスク及びブルーレイディスク（登録商標）を含み、ディスク（ｄｉｓｋ）は、磁気的にデータを通常再現する一方、ディスク（ｄｉｓｃ）は、レーザで光学的にデータを再現する。上記の組み合わせは、コンピュータ可読媒体の範囲内にも含まれるべきである。
【００９６】
本明細書に開示された複数の態様に関連して説明される様々な例示的な論理、論理的なブロック、モジュール及び回路は、本明細書に説明される複数の機能を実行するように設計された汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブル論理デバイス、ディスクリートゲート若しくはトランジスタ論理、個別のハードウェアコンポーネント、又はそれらの任意の組み合わせで実装又は実行されてよい。 汎用プロセッサは、マイクロプロセッサであってよいが、代替的に、プロセッサは、任意の従来のプロセッサ、コントローラ、マイクロコントローラ又はステートマシンであってよい。プロセッサは、複数のコンピューティングデバイスの組み合わせ、例えば、ＤＳＰ及びマイクロプロセッサの組み合わせ、複数のマイクロプロセッサ、ＤＳＰコアと連動する１又は複数のマイクロプロセッサ、又は任意の他のそのようなコンフィギュレーションとしても実装されてよい。更に、少なくとも１つのプロセッサは、本明細書に説明される複数の動作のうちの１又は複数を実行するように動作可能な１又は複数のモジュールを有してよい。
【００９７】
ソフトウェア実装について、本明細書に説明される複数の技術は、本明細書に説明される複数の機能を実行する複数のモジュール（例えば、複数の手順、複数の機能等）で実装されてよい。複数のソフトウェアコードは、複数のメモリユニットに格納されてよく、複数のプロセッサにより実行されてよい。メモリユニットは、プロセッサ内に実装されてよく、又は、プロセッサの外部に実装されてよく、その場合、メモリユニットは、当技術分野において知られるように、様々な手段を通じてプロセッサに通信可能に結合されてよい。更に、少なくとも１つのプロセッサは、本明細書に説明される複数の機能を実行するように動作可能な１又は複数のモジュールを含んでよい。
【００９８】
本明細書に説明される複数の技術は、ＣＤＭＡ、ＴＤＭＡ、ＦＤＭＡ、ＯＦＤＭＡ、ＳＣ−ＦＤＭＡ及び他のシステムのような、様々な無線通信システムに用いられてよい。「システム」及び「ネットワーク」という用語は、多くの場合、同じ意味で用いられる。ＣＤＭＡシステムは、ユニバーサル地上無線アクセス（ＵＴＲＡ）、ＣＤＭＡ１８００等のような無線技術を実装してよく、ＵＴＲＡは、ワイドバンドＣＤＭＡ（Ｗ−ＣＤＭＡ）及び他のＣＤＭＡの変形を含む。更に、ＣＤＭＡ１８００は、ＩＳ−１８００、ＩＳ−９５及びＩＳ−８５６規格をカバーする。ＴＤＭＡシステムは、移動通信用グローバルシステム（ＧＳＭ（登録商標））のような無線技術を実装してよい。ＯＦＤＭＡシステムは、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．１８、フラッシュＯＦＤＭ等のような無線技術を実装してよく、ＵＴＲＡ及びＥ−ＵＴＲＡは、ユニバーサル移動体通信システム（ＵＭＴＳ）の一部である。３ＧＰＰロングタームエボリューション（ＬＴＥ）は、Ｅ−ＵＴＲＡを用いるＵＭＴＳのリリースであり、ＬＴＥは、ダウンリンク上でＯＦＤＭＡを採用し、アップリンク上でＳＣ−ＦＤＭＡを採用する。ＵＴＲＡ、Ｅ−ＵＴＲＡ、ＵＭＴＳ、ＬＴＥ及びＧＳＭ（登録商標）は、「第３世代パートナーシッププロジェクト」（３ＧＰＰ）と名付けられた組織からの文書に説明されている。更に、ＣＤＭＡ１８００及びＵＭＢは、第３世代パートナーシッププロジェクト２（３ＧＰＰ２）と名付けられた組織からの文書に説明されている。更に、そのような無線通信システムは、対になっていない無認可のスペクトル、８０２．ｘｘ無線ＬＡＮ，ブルートゥース（登録商標）及び任意の他の短距離又は長距離、無線通信技術を多くの場合用いるピアツーピア（例えば、モバイルツーモバイル）アドホックネットワークシステムを更に含んでよい。シングルキャリア周波数分割多重アクセス（ＳＣ−ＦＤＭＡ）は、シングルキャリア変調及び周波数領域等化を利用しており、開示された複数の態様で利用され得る技術である。ＳＣ−ＦＤＭＡは、ＯＦＤＭＡシステムの性能及び複雑性と類似する性能及び基本的に類似する全体的な複雑性を有する。ＳＣ−ＦＤＭＡ信号は、その固有のシングルキャリア構造のために、より低いピーク対平均電力比（ＰＡＰＲ）を有する。ＳＣ−ＦＤＭＡは、より低いＰＡＰＲが送信電力効率の観点からモバイル端末のためになり得るアップリンク通信において用いられてよい。
【００９９】
更に、本明細書に説明される様々な態様又は特徴は、標準的なプログラミング及び／又はエンジニアリング技術を用いる方法、装置又は工業製品として実装されてよい。本明細書に使用されたように、「工業製品」という用語は、任意のコンピュータ可読デバイス、キャリア、又は媒体からアクセス可能なコンピュータプログラムを包含することが意図される。例えば、コンピュータ可読媒体は、磁気ストレージデバイス（例えば、ハードディスク、フロッピー（登録商標）ディスク、磁気ストライプ等）、光ディスク（例えば、コンパクトディスク（ＣＤ）、デジタル多目的ディスク（ＤＶＤ）等）、スマートカード、及びフラッシュメモリデバイス（例えば、ＥＰＲＯＭ、カード、ステッキ、キードライブ等）を含んでよいが、これらに限定されない。更に、本明細書に説明される様々な記憶媒体は、情報を格納するための１又は複数のデバイス、及び／又は、他の機械可読媒体を表してよい。「機械可読媒体」という用語は、（複数の）命令及び／又はデータを格納し、含み、及び／又は、搬送することが可能な複数の無線チャネル及び他の様々な媒体を限定されることなく含んでよい。更に、コンピュータプログラム製品は、本明細書に説明された複数の機能をコンピュータに実行させるように動作可能な１又は複数の命令又はコードを有するコンピュータ可読媒体を含んでよい。
【０１００】
通信媒体は、変調させられたデータ信号、例えば、搬送波又は他のトランスポートメカニズムのようなデータ内の信号における複数のコンピュータ可読命令、複数のデータ構造、複数のプログラムモジュール、若しくは、他の構造化又は非構造化データを具現化し、任意の情報配信又はトランスポート媒体を含む。「変調させられたデータ信号」という用語又は信号は、１又は複数の信号内のエンコード情報に関して、そのような態様において設定又は変更された信号の特性のうちの１又は複数を有する信号を指す。例として、かつ、限定されないものとして、通信媒体は、有線ネットワーク又は直接有線接続のような有線媒体、音響、ＲＦ、赤外線及び他の無線媒体のような無線媒体を含む。
【０１０１】
更に、本明細書に開示された複数の態様に関連して説明される方法又はアルゴリズムの複数の動作は、ハードウェアにおいて、プロセッサにより実行ソフトウェアモジュールにおいて、又は、それらの組み合わせにおいて直接的に具現化されてよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ‐ＲＯＭ、又は、当技術分野で知られる任意の他の記憶媒体の形態に存在してよい。例示的な記憶媒体は、プロセッサが記憶媒体から情報を読み出すことができ、かつ、記憶媒体に情報を書き込むことができるようなプロセッサに結合されてよい。代替的に、記憶媒体は、プロセッサに統合されてよい。更に、いくつかの態様において、プロセッサ及び記憶媒体は、ＡＳＩＣ内に存在してよい。更に、ＡＳＩＣはユーザ端末内に存在してよい。代替的に、プロセッサ及び記憶媒体は、ユーザ端末内のディスクリートコンポーネントとして存在してよい。更に、いくつかの態様において、方法又はアルゴリズムの複数の動作は、機械可読媒体及び／又はコンピュータ可読媒体上の複数のコード及び／又は複数の命令のセット若しくは１又は任意の組み合わせとして存在してよく、コンピュータプログラム製品に組み込まれてよい。
【０１０２】
開示された主題の示された複数の実施形態に関する上記の説明は、要約書で説明されるものを含むが、開示された正確な形式に開示された複数の実施形態を網羅し、又は限定することが意図されるものではない。具体的な複数の実施形態及び複数の例が複数の例示的な目的のために本明細書で説明される一方、当業者が認識できるように、様々な変更が、そのような複数の実施形態及び複数の例の範囲内にあるとみなされることが可能である。
【０１０３】
これに関して、適用可能な場合、開示された主題が様々な実施形態及び対応する図に関連して説明されてきたが、他の類似の実施形態を用いることができ、又は、修正及び追加が、そこから逸脱することなく開示された主題の同じ、類似、代替的、又は置換機能を実行するために、説明された複数の実施形態を行うことができると理解されるべきである。よって、開示された主題は、本明細書に説明されたいずれか１つの実施形態に限定されるべきではなく、むしろ、以下に添付の特許請求の範囲に従う広がり及び範囲で解釈されるべきである。
【０１０４】
特に、上記で説明されたコンポーネント（アセンブリ、デバイス、回路システム等）により実行される様々な機能に関して、そのようなコンポーネントを説明するために用いられる用語（「手段」への言及を含む）は、本開示の例示的な実装が示された本明細書における機能を実行する開示された構造と構造的に同等でなくても、他に示されない限り、説明されるコンポーネントの特定の機能（例えば、機能的に同等である）を実行する任意のコンポーネント又は構造に対応することが意図される。更に、特定の特徴がいくつかの実装のうちの１つのみに関して開示されてきたかもしれないが、そのような特徴は、任意の又は特定の用途に対して望まれかつ有利であり得るように、他の実装の１又は複数の他の特徴と組み合わせられてよい。
【図１】
0006278326.tif 000002
【図２】
0006278326.tif 000003
【図３】
0006278326.tif 000004
【図４】
0006278326.tif 000005
【図５】
0006278326.tif 000006
【図６】
0006278326.tif 000007
【図７】
0006278326.tif 000008